(57)【要約】【課題】筐体から外方に突出部を突出させると共に、突出部を突出状態及び収納状態にてロックし、さらに、突出状態でのロック状態を所定の期間、ロック解除し続ける電子機器を提供する。【解決手段】開口15が形成された筐体10と、筐体10の開口15から外方に出没自在に設けられた突出部90と、該突出部90を前記筐体内に収納された収納位置と、前記筐体10から突出した突出位置で位置決めするロック機構4と、を具えた電子機器であって、前記突出部90が突出位置にあるときに、ロック機構4による突出部90のロックを解除し、突出部90が収納位置に移動するまで、ロック機構4による突出部90のロック解除状態を維持するロック解除機構5を具える。【選択図】図１０
2012231198.tif 000002
【特許請求の範囲】
【請求項１】
開口が形成された筐体と、
筐体の開口から外方に出没自在に設けられた突出部と、
該突出部を前記筐体内に収納された収納位置と、前記筐体から突出した突出位置で位置決めするロック機構と、を具えた電子機器であって、
前記突出部が突出位置にあるときに、ロック機構による突出部のロックを解除し、突出部が収納位置に移動するまで、ロック機構による突出部のロック解除状態を維持するロック解除機構を具えることを特徴とする電子機器。
【請求項２】
筐体の開口に対して開閉自在に設けられた蓋体と、
該蓋体に対してスライド自在に設けられたスライド操作部と、を具え、
スライド操作部は、
蓋体に設けられ筺体の開口を塞ぐ状態に蓋体をロックする蓋ロック機構に当接し、該蓋ロック機構を解除する方向に押す第１突出部と、
ロック機構のロック解除機構を作動させるノブロックを押す第２突出部と、を具え、
該スライド操作部が、突出部が筐体内に収納されているときに、ロック機構による突出部のロックを解除するロック解除操作と連動して、前記蓋ロック機構による蓋体のロックを解除する請求項１に記載の電子機器。
【請求項３】
前記スライド操作部は、前記蓋ロック機構に対する蓋体のロック解除操作を、筐体内に収納された突出部のロック解除操作よりも先に行なう請求項２に記載の電子機器。
【請求項４】
前記ロック機構は、突出部が、突出位置で後退することを阻止するイジェクトレバーを具え、
ロック解除機構は、押し込み操作可能なノブロックと、該ノブロックに結合されたスライドロック部と、を有しており、
ノブロックを押し込むことで、スライドロック部がイジェクトレバーによる突出部の突出位置でのロックを解除する請求項１乃至３に記載の電子機器。
【請求項５】
開口が形成された筐体と、
筐体の開口から外方に出没自在に設けられた突出部と、
該突出部を前記筐体内に収納された収納位置と、前記筐体から突出した突出位置で位置決めするロック機構と、
筐体の開口に対して開閉自在に設けられた蓋体と、
該蓋体に対して設けられた操作部と、
を具えた電子機器であって、
操作部は、
蓋体に設けられ筺体の開口を塞ぐ状態に蓋体をロックする蓋ロック機構に当接し、該蓋ロック機構を解除する方向に押す第１突出部と、
ロック機構のロック解除機構を作動させるノブロックを押す第２突出部と、を具え、
該操作部が、突出部が筐体内に収納されているときに、ロック機構による突出部のロックを解除するロック解除操作と連動して、前記蓋ロック機構による蓋体のロックを解除することを特徴とする電子機器。
【発明の詳細な説明】
【技術分野】
【０００１】
本発明は、外方へ出没自在に設けられた突出部を具える電子機器に関する。
【背景技術】
【０００２】
ＩＣレコーダやデジタルカメラなどの電子機器は、外部装置等に接続するためのＵＳＢ端子等の突出部を具えている。一般に、このような突出部は、外部からアクセス可能に筐体内に配置されており、当該突出部と外部装置に設けられた端子とが、接続ケーブルを介して繋がれる。このような接続ケーブルを介した接続は煩わしいことから、外方へ出没自在に突出部を機器本体に設けることで、当該突出部を用いて、接続ケーブルを介することなく外部装置に接続できる電子機器が提案されている。
【０００３】
例えば、特許文献１には、機器本体の側面に回動蓋と、突出部としてＵＳＢ端子が回動自在に設けられた携帯機器が開示されている。機器本体の回動蓋とＵＳＢ端子の回動基端側には、ギアが夫々固定されており、回動蓋とＵＳＢ端子は、これらギアを介して、機器本体内に設けられたラック・ピニオン機構と連繋している（特許文献１の図１参照）。閉状態にて、回動蓋とＵＳＢ端子の基部とは、筐体の側面を構成するように配置されており、ＵＳＢ端子の先端側の部分が、回転蓋で覆われている（特許文献１の図２参照）。閉状態にて回動蓋を開方向に回転させると、ラック・ピニオン機構と連動してＵＳＢ端子が回転して、機器本体から外方に突出する。また、開状態にて回動蓋を閉方向に回転させると、ＵＳＢ端子が逆向きに回転して機器本体内に収納される。
【先行技術文献】
【特許文献】
【０００４】
【特許文献１】特開２００８−２４４９３１号公報
【発明の開示】
【発明が解決しようとする課題】
【０００５】
特許文献１に開示された携帯機器は、ＵＳＢ端子の収納時にて、ＵＳＢ端子へのアクセスが回動蓋で遮断される。このように、突出部を具える電子機器には、突出部を隠すように、筐体内に収納するように具えられることが好ましい。しかしながら、特許文献１の携帯機器に開示された機構は、筐体内に突出部を収納するものの、突出部が収納位置と突出位置にロックされない点で好ましくない。
【０００６】
本発明は上記課題に鑑みてなされたものであり、外方へ出没自在に設けられた突出部を具えた電子機器において、筐体から外方に突出部を突出させると共に、突出部を突出位置及び収納位置にて位置決め（ロック）し、さらに、突出位置でのロック状態を一旦解除すると、突出部を筐体内に収納するまで、ロック解除状態を維持できる技術を提供する。
【課題を解決するための手段】
【０００７】
上記課題を解決するために、本発明の電子機器は
開口が形成された筐体と、
筐体の開口から外方に出没自在に設けられた突出部と、
該突出部を前記筐体内に収納された収納位置と、前記筐体から突出した突出位置で位置決めするロック機構と、を具えた電子機器であって、
前記突出部が突出位置にあるときに、ロック機構による突出部のロックを解除し、突出部が収納位置に移動するまで、ロック機構による突出部のロック解除状態を維持するロック解除機構を具えるようにしたものである。
【発明の効果】
【０００８】
本発明では、突出部が筐体の開口から外方に突出した突出状態での位置決め(ロック)を一旦解除すると、突出部が筐体の収納位置に収納されるまで、ロック解除状態を維持することができる。従って、使用者は、突出部が突出し、ロックされた状態から、まず、突出部のロック解除操作をし、その後で突出部を収納すればよい。よって、突出部の収納動作を簡便に行なうことができる。
【図面の簡単な説明】
【０００９】
【図１】図１は、本発明の実施例である撮像装置を前方から見た斜視図である。
【図２】図２は、本発明の実施例である撮像装置を後方から見た斜視図である。
【図３】図３は、本発明の実施例である撮像装置を後方から見た斜視図であって、接続端子が筐体から突出した状態を示している。
【図４】図４は、本発明の実施例である撮像装置の内部を背面側から見た平面図である。
【図５】図５(a)は、本発明の実施例である撮像装置の蓋体とスライド操作部の結合状態を示す要部拡大図平面図、図５(b)乃至図５(e)は、図５(a)の線５b−５bに沿う断面図であって、蓋体及び接続端子のロックを解除する工程を示している。
【図６】図６は、本発明の実施例である撮像装置の蓋体を開状態にしたときの内部平面図である。
【図７】図７は、端子ユニットの分解斜視図である。
【図８】図８は、接続端子の突出位置におけるロック状態を示す平面図である。
【図９】図９は、接続端子の突出位置におけるロック解除動作を示す平面図である。
【図１０】図１０は、接続端子の収納動作を示す平面図である。
【図１１】図１１は、接続端子の収納位置におけるロック状態を示す平面図である。
【図１２】図１２は、接続端子収納時のロック解除動作を示す平面図である。
【図１３】図１３は、接続端子突出動作を表す平面図である。
【図１４】図１４は、接続端子突出動作を表す平面図である。
【図１５】図１５は、接続端子突出状態を表す平面図である。
【発明を実施するための形態】
【００１０】
本発明は、デジタルカメラの如き撮像装置(1)等から出没する突出部を具えた電子機器に関するものである。
【００１１】
より具体的には、突出部とは、外部装置（図示せず）との間で、電子機器と画像データなどの各種データをやり取りするために使用される接続端子(90)（例えば、ＵＳＢ端子(オス(plug))、音声を表すオーディオ信号を入出力するためのオーディオ端子、電力の供給を受けるための電源端子、ストロボ、マイクロホンやスピーカ、アンテナを例示することができる。
【００１２】
なお、以下では、電子機器として撮像装置(1)、突出部としてＵＳＢ接続端子(90)を例に挙げて、説明を行なう。
【００１３】
＜撮像装置(1)＞
本発明の一実施例に係る撮像装置(1)は、図１乃至図４に示すように、薄型直方体形状の筺体(10)の内部に主要部品を収容して構成される。筺体(10)の前面には、図１に示すように、撮像レンズ(11)やストロボ部(12)が配置され、背面には、図２に示すように、撮像した画像の表示やビューファインダとして機能する表示部(13)(例えば液晶パネル)が設けられている。また、筺体(2)の上面(14a)にはシャッターボタンやモード変更用のジョグダイヤル(何れも図示せず)が配備されている。
【００１４】
撮像装置(1)にはまた、後述する端子ユニット(2)に配置された接続端子(90)が出没可能に配備されている。より具体的には、端子ユニット(2)は、接続端子(90)が、図３に示すように筺体(10)の底面(14)に設けられた開口(15)から出没可能となるように、筺体(10)の内部に収容されている。
【００１５】
さらに、筺体(10)の底面(14)には、筺体(14)に対してスライド可能に設けられたスライド操作部(17)が配備されており、該スライド操作部(17)は、前記開口(15)を塞ぐ蓋体(16)と、蓋体(16)の開閉を制御すると共に、接続端子(90)の出没を制御する。
【００１６】
＜蓋体(16)＞
図示の蓋体(16)は、筺体(10)の底面(14)の端部にヒンジ接続されて、図４乃至図６に示すように、回動することにより開口(15)を開閉するものである。なお、蓋体(16)は、筺体(10)にスライド可能に配備することもできる。
【００１７】
前記蓋体(16)は、ヒンジ接続部にて筺体(10)に対してスプリング(74)により開口(15)の開方向(図６中矢印で示す)に付勢されており、無負荷の状態では、図６に示すように開状態を維持する。
蓋体(16)は、図５に示すように、蓋体(16)の先端に凹設された穴(72)にバネ(71)により突出方向に付勢されたラッチ(70)からなる蓋ロック機構(7)を有しており、蓋体(16)を閉状態に回動させたときに、図５(b)に示すように、ラッチ(70)が開口(15)の近傍の筺体(10)と係合して、蓋体(16)が開くことを防いでいる。
【００１８】
蓋体(16)を開くには、前記ラッチ(70)をバネ付勢に抗して後退させる。ラッチ(70)の後退は、後述するスライド操作部(17)に設けられた第１突出部(19a)を押し込み、蓋ロック機構(7)を解除することにより行なわれる。すなわち、第１突出部(19a)をスライドさせて、図５(c)に示すように、ラッチ(70)を蓋体(16)内に押し込むことで、ラッチ(70)が後退し、蓋体(16)と筺体(10)との係合が解かれ、スプリング(74)の付勢力によって、蓋体(16)が図５(d)及び図６に示すように回動し、開口(15)を開状態とすることができる。
【００１９】
＜端子ユニット(2)＞
外部装置(図示せず)と接続する接続端子(90)は、筺体(10)の内部に収容された端子ユニット(2)に配備されている。
【００２０】
端子ユニット(2)は、接続端子(90)を開口(15)から出没可能とする出没機構(3)を有している。図示の実施例では、後述する接続端子付勢手段(93)が出没機構(3)の一部をなしており、接続端子(90)は、接続端子付勢手段(93)により突出方向に付勢されている。
【００２１】
また、端子ユニット(2)には、接続端子(90)が、筐体(10)に収納された位置(以下「収納位置」と称する)と、接続端子(90)が、出没機構(3)により筐体(10)から最も突出した位置(以下「突出位置」と称する)にて、接続端子(90)を位置決めするロック機構(4)を具える。図示の実施例では、後述するロックレバー(50)及びイジェクトレバー(40)がロック機構(4)などの一部をなしている。
【００２２】
さらに、端子ユニット(2)には、ロック機構(4)による接続端子(90)の収納位置及び突出位置における位置決めを解除するとともに、突出位置においては、位置決めの解除を接続端子(90)が収容されるまで継続することのできるロック解除機構(5)を有する。図示の実施例では、後述するノブロック(27)とスライドロックレバー(30)などがロック解除機構(5)の一部をなしている。
【００２３】
端子ユニット(2)の構成について、より具体的に説明すると、端子ユニット(2)は、図７に示すように、接続端子(90)を筐体(10)に収納し、接続端子(90)を筐体(10)の開口(15)から外方に突出するようにスライド可能に保持する樹脂製のホールド部(80)と、接続端子(90)のスライドに併せて、突出又は収納方向に移動するスライドレバーコントロール部(60)と、接続端子(90)の移動のロックを制御するスライドロック部(20)を有する。
【００２４】
また、本実施例における接続端子(90)は、基板(図示せず)を保持する基板保持部(92)と、該基板保持部(92)を保護するカバー体(91)とからなる。基板保持部(92)は、筐体(10)の外方へ突出するように、接続端子付勢手段(93)と当接する。また、カバー体(91)の上面には、移動軸(94)を具える。
【００２５】
ホールド部(80)は、図７に示すように、接続端子(90)を筐体(10)内に収納し、ホールド部(80)の下面を形成するベース部(82)と、接続端子(90)の移動をガイドし、ホールド部(80)の上面を形成するガイド部(81)よりなる。
【００２６】
ガイド部(81)には、接続端子(90)の上面から突設した移動軸(94)のスライド方向に沿って長孔(86)が形成されている。この長孔(86)に沿って、移動軸(94)が、ガイド部(81)の先端側又は基端側にスライドする。
【００２７】
ガイド部(81)は、図７に示すように、長孔(86)の先端方向に第1スライド軸(83)を具え、長孔(86)の基端方向に第２スライド軸(84)を具え、さらに移動用長孔(86)の略中央に近接して、第３スライド軸(85)を具える。該スライド軸(83)(84)(85)は、後述するスライドレバーコントロール部(60)、スライドロック部(20)、スライドロックレバー部(30)、イジェクトレバー(40)、ロックレバー(50)と係合する。
【００２８】
スライドレバーコントロール部(60)には、図７に示すように、接続端子(90)に突設された移動軸(94)を貫通させる移動孔(61)を具える。該移動孔(61)は、移動軸(94)の移動方向に沿って、ガイド部(81)に形成された長孔(86)の長手方向より短く形成される。移動孔(61)の略中央に、移動軸(94)の移動に併せてスライドレバーコントロール部(60)を先端又は基端方向に移動させる移動軸係合部(62)を具える。移動軸係合部(62)が、移動軸(94)と係合することにより、スライドレバーコントロール部(60)が、接続端子(90)の移動に併せてスライドする。
【００２９】
スライドレバーコントロール部(60)の先端には、図７に示すように、ガイド部(81)の先端側に具えた第１スライド軸(83)の基部と係合する第１スライド軸係合部(63)が形成される。スライドレバーコントロール部(60)が、接続端子(90)の移動に併せて、ガイド部(81)の先端方向に移動して、第１スライド軸係合部(63)が該第１スライド軸(83)の基部に当接することにより、スライドレバーコントロール部(60)のガイド部(81)の先端方向への移動が停止する。
【００３０】
また、スライドレバーコントロール部(60)の基端側には、ガイド部(81)に具えた第２スライド軸(84)と係合する第２スライド軸係合部(64)を具える。スライドレバーコントロール部(60)が、接続端子(90)の移動に併せて、基端方向に移動するとき、第２スライド軸係合部(64)が、第２スライド軸(84)の基部に当接して、スライドレバーコントロール部(60)の移動を停止させる。
【００３１】
さらに、スライドレバーコントロール部(60)の移動孔(61)に近接して、第３スライド軸(85)の基部と嵌合する第３スライド軸係合部(65)が形成されている。これらのスライド軸係合部(63)(64)(65)により、スライドレバーコントロール部(60)が、ガイド部(81)上を移動軸(94)の移動に併せてスライド可能であり、また、スライドレバーコントロール部(60)の移動限界を決定する。
【００３２】
スライドレバーコントロール部(60)には、図７に示すように、スライドロック部(20)を作動させる作動軸(26)と係合するスライドロック制御部(67)を具える。また、スライドロック制御部(67)内には、作動軸(26)の移動を留める作動軸係合部(68)を具える。また、スライドレバーコントロール部(60)には、スライドロック部(20)の作動をロックするスライドロックレバー(30)と嵌合する略Ｔ字状のＴ型カム溝(66)が形成される。
【００３３】
次に、カバー体(91)から上方に突設された移動軸(94)の移動をロックするイジェクトレバー(40)とロックレバー(50)について説明する。
【００３４】
イジェクトレバー(40)は、図７に示すように、接続端子(90)の移動軸(94)をロックする第１移動軸固定部(43)を有する。また、イジェクトレバー(40)の中央には、嵌合孔(41)が形成され、第１スライド軸(83)と、回動可能に嵌合する。
【００３５】
ロックレバー(50)は、図７に示すように、接続端子(90)の移動軸(94)をロックする第２移動軸固定部(53)を有する。また、ロックレバー(50)の中央には、嵌合孔(52)が形成され、第２スライド軸(84)と、回動可能に嵌合する。
【００３６】
該ロックレバー(50)とイジェクトレバー(40)は、スプリングレバー(54)で結合される。イジェクトレバー(40)の上面には、スプリングレバー(54)の付勢力に抗して、インジェクトレバー(40)を回動させるイジェクトレバー回動軸(42)が具えられる。また、ロックレバー(50)の上面には、ロックレバー(50)を回動させるロックレバー回動軸(51)が具えられる。該イジェクトレバー回動軸(42)とロックレバー回動軸(51)は、夫々スライドロック部(20)に形成された第１カム溝(21)と第２カム溝(22)に係合する。
【００３７】
次に、スライドロック部(20)の移動をロックするスライドロックレバー(30)について説明する。スライドロックレバー(30)は、第３スライド軸(85)と、嵌合孔(32)で回動可能に嵌合する。
【００３８】
スライドロックレバー(30)は、スライドロック部(20)に具えた作動軸(26)の移動をロック、又はロック解除することにより、スライドロック部(20)の移動をロック又はロック解除する。スライドロックレバー(30)は、スプリングレバー(33)により、スライドロック部(20)と結合する。
【００３９】
スライドロック部(20)には、イジェクトレバー(40)に形成されたイジェクトレバー回動軸(42)と係合し、先端方向に向けて側壁の幅を接近するように傾斜して形成された第１カム溝(21)と、ロックレバー(50)に形成されたロックレバー回動軸(22)に係合する第２カム溝(22)とを有する。該カム溝(21)(22)は、スライドロック部(20)が、スライドすると、イジェクトレバー回動軸(42)又はロックレバー回動軸(51)を移動させ、イジェクトレバー(40)又はロックレバー(50)を、移動軸(94)の移動をロック又はロック解除するように回動させる。
【００４０】
また、スライドロック部(20)には、スライド軸(83)(84)(85)をスライド可能に嵌合する抑え孔(23)(24)(25)が形成される。さらに、スライドロック部(20)には、下方に突設した作動軸(26)を具え、該作動軸(26)は、スライドレバーコントロール部(60)に形成されたスライドロック制御部(67)内を移動可能である。
【００４１】
さらに、スライドロック部(20)は、筐体(10)に形成されたスライド操作部(17)のスライド操作により、スライドロック部(20)を先端方向又は基端方向へ移動させる、傾斜面を有するノブロック(27)と結合する。スライド操作部(10)が、ノブロック(27)に形成された傾斜面を押し込むことにより、ノブロック(27)が押されて、ノブロック(27)と結合するスライドロック部(20)が基端側に移動する。
【００４２】
＜接続端子突出位置におけるロック状態＞
接続端子(90)の突出位置におけるロック機構(4)によるロック状態について説明する。
上記接続端子(90)のロック状態においては、図８に示すように、接続端子(90)の上面から突設した移動軸(94)が、イジェクトレバー(40)の第１移動軸固定部(43)と係合する。イジェクトレバー(40)は、ロックレバー(50)と、スプリングレバー(54)を介して連結し、移動軸(94)をロックする方向に付勢されているため、接続端子(90)の移動がロックされ、接続端子(90)を筐体(10)内に収納することができない。
【００４３】
上記のように接続端子(90)が突出した状態で位置決めされることにより接続端子(90)が後退することなく、外部装置等に接続できる。
【００４４】
＜接続端子突出位置におけるロック解除＞
接続端子(90)を突出位置から筐体(10)内の収納位置に移動させるには、上記ロックを解除する必要がある。ロックを解除するロック解除機構(5)は、スライドロック部(20)に連結するノブロック(27)を、図９に示した矢印Ａの方向に、移動させることで作動する。ノブロック(27)が移動することで、ノブロック(27)と連結するスライドロック部(20)が後退する。これにより、イジェクトレバー(40)の上面に突設されたイジェクトレバー回動軸(42)が、スライドロック部(20)に形成された第１カム溝(21)の側壁により、矢印Ｂの方向に押し出され、イジェクトレバー(40)の第１移動軸固定部(43)が、移動軸(94)の移行路上から押し出され、移動軸(94)のロックが解除される。
【００４５】
また、スライドロック部(20)が基端方向に移動することにより、スライドロック部(20)から下向きに突設された作動軸(26)が、スライドロック制御部(67)の側壁に沿って基端方向に移動する。作動軸(26)が、基端方向に移動することにより、スプリングレバー(33)からの付勢力に抗したスライドロックレバー(30)が、作動軸(26)に係合するように移動し、作動軸(26)が、ノブロック(27)が押される前の位置(ロック待機位置)への復帰を阻止する。
【００４６】
これにより、ロック状態を解除した後に、接続端子(90)が収納位置に収納されるまで、ノブロック(27)が保持されるから、接続端子(90)のロック解除状態を維持することができる。
【００４７】
＜接続端子収納動作＞
接続端子(90)がロック解除された状態で、接続端子(90)は筐体(10)の内部に収納可能となる。上記のように、接続端子(90)は、突出位置にはあるが、この状態におけるロックは解除されている。従って、使用者は、いつでも接続端子(90)を筐体(10)に収納することができる。即ち、使用者は、接続端子(90)のロック解除操作を行いつつ、接続端子(90)を筐体(10)に収納させる操作を同時に行なう必要がないので、接続端子(90)の収納動作を可及的に簡便化することができる。
【００４８】
図９に示すように、接続端子(90)が筐体(10)の外方に突出し、接続端子(90)の移動のロックを解除した状態においては、接続端子(90)の移動軸(94)の移行路上に、イジェクトレバー(40)の第１移動軸固定部(43)が位置していない。従って、この状態で、接続端子(90)を筐体(10)に向けて、指などで押し込むことにより、移動軸(94)が接続端子(90)と一体に押し込められる。
【００４９】
移動軸(94)を、スライドレバーコントロール部(60)に形成された移動孔(61)に沿って、図１０の矢印Ｃの方向に、移動させる。それにより、移動軸(94)が、移動孔(61)の縁に当接する。さらに、移動軸(94)を基端側に押し込んで、移動孔(61)の縁を押圧しながら移動させることにより、図１１に示すように、スライドレバーコントロール部(60)が基端側に押し下げられる。
【００５０】
スライドレバーコントロール部(60)が押し下げられることにより、スライドレバーコントロール部(60)に形成されたＴ型カム溝(66)の横溝に係合しているスライドロックレバー部(30)が押し出され、Ｔ型カム溝(66)の縦溝に移動し、スライドロックレバー部(30)による作動軸(26)のロックが解除される。また、スプリングレバー(33)を介して、スライドロックレバー部(30)と係合しているスライドロック部(20)が、図１１の矢印Ｄの方向に、スプリングレバー(33)により、先端方向に移動させられる。
【００５１】
＜接続端子の収納位置におけるロック状態＞
スライドロック部(20)が、図１１の矢印Ｄの方向に移動することにより、スライドロック部(20)と結合しているノブロック(27)が、図１１の矢印Ｅの方向に移動し、ロック待機位置に戻される。スライドロック部(20)が先端方向に移動すると共に、第２カム構(22)に係合しているロックレバー回動軸(51)を、図１１に示す矢印Ｆの方向に移動する。それにより、ロックレバー(50)が、スプリングレバー(54)の付勢力により回動して、第２移動軸固定部(53)が移動軸(94)の移動をロックする。その結果、接続端子(90)は、筐体(10)内に収容された状態を維持される。
【００５２】
＜接続端子突出操作＞
筐体(10)内に収容された接続端子(90)を突出させるために、以下の操作を行なう。
図１１に示す状態から、ロック解除するには、ロック待機位置に位置するノブロック(27)を、図１２の矢印Ｇの方向に、後退させることで、スライドロック部(20)を押し下げる。これにより、スライドロック部(20)が基端方向に移動すると共に、スライドロック部(20)に形成されている第２カム溝(22)が移動する。第２カム溝(22)の側壁に形成された傾斜に沿って、ロックレバー回動軸(51)が、図１２の矢印Ｈの方向に移動し、ロックレバー(50)が回動する。
【００５３】
その結果、接続端子(90)の上面に突設された移動軸(94)をロックしていたロックレバー(50)の第２移動軸固定部(53)が、移動軸(94)の移行路上から移動することになり、移動軸(94)が先端方向に移動可能になる。接続端子(90)の基端側と接続する接続端子付勢手段(93)の付勢力が、接続端子(90)を突出方向に付勢することにより、接続端子(90)が筐体(10)から外方に突出する。
【００５４】
接続端子(90)の移動とともに移動軸(94)が先端方向に移動することにより、移動軸(94)が、図１３に示すように、移動孔(61)に具えられた移動軸係合部(62)と係合して、スライドレバーコントロール部(60)を先端方向に移動させる。
【００５５】
これにより、スライドロックレバー(30)が、スライドレバーコントロール部(60)に形成されたＴ型カム溝(66)の横溝から押し出され、Ｔ型カム溝(66)の縦溝に嵌る。そのため、スライドロック部(20)の作動軸(26)が、スライドロック制御部(67)の作動軸係合部(68)を乗り上げて、スライドロックレバー(30)のロックが解除される。
【００５６】
スライドロックレバー(30)のスライドロック部(20)に対するロックが解除され、スプリングレバー(33)による付勢力により、図１４の矢印Ｉに示すように、スライドロック部(20)を先端方向に移動させる。
上記により、接続端子(90)は、突出した状態となる。
【００５７】
＜ロック突出状態におけるロック動作＞
スライドロック部(20)が、先端方向に移動することにより、図１５に示すように、スライドロック部(20)と結合するノブロック(27)が、ロック待機位置に移動することになり、次にノブロック(27)を押し下げるまで、接続端子(90)のロック状態を維持することができる。
【００５８】
＜スライド操作部(17)＞
本実施例の撮像装置(1)では、蓋体(16)の開閉操作及び接続端子(90)の突出操作は、スライド操作部(17)のスライドにより行なわれる。なお、操作部(17)は、直線方向にスライドする構成を例示しているが、操作部(17)は、例えばダイヤルのように回動する構成等であってもよい。
【００５９】
スライド操作部(17)は、図５に示すように、先端が断面略コ字状となっており、上下に突出部(19a)(19b)を有する。スライド操作部(17)は、図５に示すように、バネ(73)により、開口(15)から離される方向に付勢されている。
【００６０】
スライド操作部(17)の上方に形成された第１突出部(19a)は、スライド操作部(17)をスライドさせたときに、蓋体(16)のラッチ(70)に当接し、ラッチ(70)を後退方向に押して、蓋ロック機構(7)による蓋体(16)のロック解除操作を行なう。
また、スライド操作部(17)の下方に位置し、第１突出部(19a)に比べて長い第２突出部(19b)は、スライド操作部(17)をスライドさせたときに、端子ユニット(2)のノブロック(27)の傾斜面に当接し、ノブロック(27)を押し上げる。
【００６１】
第１突出部(19a)と第２突出部(19b)は、望ましくは、スライド操作部(17)をスライドさせたときに、先に第１突出部(19a)がラッチ(70)に当接し、ラッチ(70)を後退するよう押して蓋ロック機構(7)を解除し、蓋体(16)を開き、続いて第２突出部(19b)がノブロック(27)に当接してノブロック(27)を押し上げてロック機構(4)を解除し、接続端子(90)を突出させるようにする。
これにより、蓋体(16)が閉状態のときに接続端子(90)が突出して、接続端子(90)の先端が蓋体(16)に衝突することを防止できる。
【００６２】
勿論、蓋ロック機構(7)の解除操作と、接続端子(90)のロック解除操作は上記タイミング以外、例えば、同時に行なうようにしてもよい。
【００６３】
スライド操作部(17)は、蓋体(16)が閉状態、接続端子(90)が突出位置にあるときに、開口(15)側へ向けてスライドさせることにより、第２突出部(19b)を押し下げて、接続端子(90)のロックを解除する。
【００６４】
＜スライド操作部(17)の操作＞
蓋体(16)の開き操作と接続端子(90)の突出操作は、図４に示すように、底面部(14)の開口(15)が、蓋体(16)によって覆われている状態で、図５(b)〜(e)に示すように、スライド操作部(17)に具えたスライド作動部(18)をスライドさせることで行なわれる。スライド操作部(17)をスライドさせると、第１突出部(19a)が、蓋体(16)のラッチ(70)に当接し、ラッチ(70)を蓋体(16)の内部に押し込むことで、蓋体(16)と筐体(10)の係合が外れ、蓋体(16)の基端に具えたスプリング(74)の付勢力により、蓋体(16)が回動して、開口(15)が開く。
なお、上記操作の後、スライド操作の後、スライド操作部(17)から手を離すと、バネ(73)の付勢力により、スライド操作部(17)は、開口(15)から離れる方向に復帰する。
【００６５】
この状態からさらに、スライド操作部(17)をスライドさせると、スライド操作部(17)の第２突出部(19b)が、端子ユニット(2)のノブロック(27)の傾斜面に当接して、ノブロック(27)を押し上げ、接続端子(90)のロックが上記要領で解除される。これにより、接続端子(90)が接続端子付勢手段(93)の付勢力によって、筐体(10)の開口(15)から外方に飛び出す。
【００６６】
開口(15)から突出した接続端子(90)は、突出位置でロックされる。これにより、接続端子(90)は後退しないから、外部装置に差し込むことができ、外部装置に接続することができる。また、接続端子(90)は、上記ロック機構(4)により突出位置でロックされているので、接触や衝撃などにより、筐体(10)内に後退することはない。
【００６７】
なお、蓋体(16)のロック機構によるロックを解除して、先に開口(15)を開けた状態から、接続端子(90)を突出させるようにすることで、接続端子(90)が蓋体(16)と衝突することはない。
【００６８】
図３に示すように、開口(15)から接続端子(90)が突出し、ロックされた状態で、接続端子(90)を外部装置と接続することができる。
【００６９】
接続端子(90)を収納するには、再度スライド操作(17)をスライドさせて、第２突出部(19b)でノブロック(27)を押し上げる。上記したように、ロック状態からノブロック(27)を押し上げることで、接続端子(90)のロックを解除することができる。
【００７０】
接続端子(90)は、突出位置でロック状態が一旦解除されれば、接続端子(90)が、筐体(10)内に収納されるまで、ロック解除状態が維持される。
【００７１】
このため、突出状態の接続端子(90)のロック解除操作をした後、接続端子(90)を収納させればよい。即ち、使用者は、ロック解除のための操作を行ないながら、接続端子(90)を同時に収納させなくてよいから、接続端子(90)の収納動作を簡便に行なうことができる。
【００７２】
ロック解除状態の接続端子(90)を筐体(10)に押し込み、接続端子(90)を収納位置に位置させると、ロック機構(4)により、接続端子(90)が収納状態でロックされる。
【００７３】
接続端子(90)を収納させた後、蓋体(16)を閉方向に回動させることにより、ラッチ(70)が筺体(10)と係合し、筐体(10)の開口(15)を閉じることができる。
【００７４】
上記実施例の説明は、本発明を説明するためのものであって、特許請求の範囲に記載の発明を限定し、あるいは特許請求の範囲を減縮する様に解すべきではない。また、本発明の各部構成は上記実施例に限らず、特許請求の範囲に記載の技術的範囲内で種々の変形が可能であることは勿論である。
【００７５】
例えば、上記では、スライド操作部(17)の操作により、接続端子(90)である突出部のロック解除を、蓋体(16)のロック解除と連動させている。しかしながら、蓋体(16)の開閉と突出部の出没を独立して操作するようにしてもよい。具体的には、蓋体(16)が開いた状態で、突出部の近傍に配置したノブロック(27)を直接又はその他の方法で押して、スプリング力により突出部を突出位置まで排出させてロックし、この状態から使用者がノブロック(27)を直接又はその他の方法で押すことで、突出部のロックを解除し、この状態で突出部を押し込むことで、突出部を収納することができる。
【００７６】
また上記実施例では、スライド操作部(17)の操作により、接続端子(90)である突出部のロック解除を蓋体(16)のロック解除と連動させることで、蓋体(16)が閉状態のときに接続端子(90)が突出して、接続端子(90)の先端が蓋体(16)に衝突することを防止できる。この一連の動作については、突出部の突出位置からのロック解除操作について、ロック解除状態を維持しない構成にも適用できることは勿論である。
【００７７】
勿論、蓋ロック機構(7)の解除操作と、接続端子(90)のロック解除操作は上記タイミング以外、例えば、同時に行なうようにしてもよい。
【産業上の利用可能性】
【００７８】
本発明は、突出部のロック解除状態を維持することができる電子機器として有用である。
【符号の説明】
【００７９】
(1)  撮像装置
(2)  端子ユニット
(10)  筐体
(11)  撮像レンズ
(12)  ストロボ部
(13)  表示部
(14)  底面部
(15)  開口
(16)  蓋体
(17)  スライド操作部
(18)  スライド作動部
(19a)  第１突出部
(19b)  第２突出部
(20)  スライドロック部
(30)  スライドロックレバー
(4)  ロック機構
(40)  イジェクトレバー
(5)  ロック解除機構
(50)  ロックレバー
(60)  スライドレバーコントロール部
(7)  蓋ロック機構
(80)  ホールド部
(90)  接続端子(突出部)
【図１】
2012231198.tif 000003
【図２】
2012231198.tif 000004
【図３】
2012231198.tif 000005
【図４】
2012231198.tif 000006
【図５】
2012231198.tif 000007
【図６】
2012231198.tif 000008
【図７】
2012231198.tif 000009
【図８】
2012231198.tif 000010
【図９】
2012231198.tif 000011
【図１０】
2012231198.tif 000012
【図１１】
2012231198.tif 000013
【図１２】
2012231198.tif 000014
【図１３】
2012231198.tif 000015
【図１４】
2012231198.tif 000016
【図１５】
2012231198.tif 000017